(57)【特許請求の範囲】
【請求項１】
ＳＤＭＡ（Space Division Multiple Access）伝送方式による送信を許可する状態であることを示す第１無線信号を受信する受信手段と、
前記第１無線信号を受けてキャリアセンスによりＳＤＭＡ伝送方式で送信することが可能である第１状態かＳＤＭＡ伝送方式で送信することが不可能である第２状態かを判定する第１判定手段と、
前記第１状態がある第１期間継続しているかどうかを判定する第２判定手段と、
前記第１状態が前記第１期間継続していると判定された場合には、ＳＤＭＡ伝送方式を使用して無線信号を送信する第１送信手段と、
前記第２判定手段が前記第１状態が前記第１期間継続していないと判定した場合には、キャリアセンスを開始してから前記第２状態であると判定されるまでの第２期間を前記第１期間から引いた第３期間を前記第１期間の代わりに設定する第１設定手段と、を具備し、
前記第３期間の設定後に前記受信手段が前記第１無線信号を受信した場合に、前記第２判定手段は前記第１状態が前記第３期間継続しているかどうかを判定することを特徴とする無線通信装置。
【請求項２】
前記第１判定手段は、他の無線通信装置からの無線信号がない場合にはＳＤＭＡ伝送方式で送信することが可能であると判定することを特徴とする請求項１に記載の無線通信装置。
【請求項３】
前記第１判定手段は、ＳＤＭＡ伝送方式で同時に送信されている無線信号の数がＳＤＭＡ伝送方式で定まっている最大空間多重数未満である場合にはＳＤＭＡ伝送方式で送信することが可能であると判定することを特徴とする請求項１または請求項２に記載の無線通信装置。
【請求項４】
前記受信手段は、前記第１無線信号に含まれる、ＳＤＭＡ伝送方式による送信を許可する第４期間を示す情報を受信し、
前記第１状態が前記第４期間よりも継続した場合には前記第１状態から前記第２状態に遷移したと判定する第３判定手段をさらに具備することを特徴とする請求項１から請求項３のいずれか１項に記載の無線通信装置。
【請求項５】
前記第２状態であると判定された場合に、キャリアセンスにより非ＳＤＭＡ伝送方式で送信することが可能である第３状態か非ＳＤＭＡ伝送方式で送信することが不可能である第４状態かを判定する第４判定手段と、
前記第３状態がある第５期間継続しているかどうかを判定する第５判定手段と、
前記第３状態が前記第５期間継続していると判定された場合には非ＳＤＭＡ伝送方式を使用して無線信号を送信する第２送信手段と、
前記第５判定手段が前記第３状態が前記第５期間継続していないと判定した場合には、キャリアセンスを開始してから前記第４状態であると判定されるまでの第６期間を前記第５期間から引いた第７期間を前記第５期間の代わりに設定する第２設定手段と、を具備し、
前記第７期間の設定後に前記第５判定手段は前記第３状態が前記第７期間継続しているかどうかを判定することを特徴とする請求項１から請求項４に記載の無線通信装置。
【請求項６】
ＳＤＭＡ（Space Division Multiple Access）伝送方式による送信を許可する状態であることを示す第１無線信号を受信する受信手段と、
前記第１無線信号を受けてキャリアセンスにより任意の通信方式の無線信号がない第１状態かある通信方式の無線信号がある第２状態かを判定する第１判定手段と、
前記第１状態がある第１期間継続しているかどうかを判定する第２判定手段と、
前記第１状態が前記第１期間継続していると判定された場合には、ＳＤＭＡ伝送方式を使用して無線信号を送信する第１送信手段と、
前記第２判定手段が前記第１状態が前記第１期間継続していないと判定した場合には、キャリアセンスを開始してから前記第２状態であると判定されるまでの第２期間を前記第１期間から引いた第３期間を前記第１期間の代わりに設定する第１設定手段と、を具備し、
前記第３期間の設定後に前記受信手段が前記第１無線信号を受信した場合に、前記第２判定手段は前記第１状態が前記第３期間継続しているかどうかを判定することを特徴とする無線通信装置。
【請求項７】
前記第２判定手段は、キャリアセンスを開始してから前記第２状態であると判定された場合に、ＳＤＭＡ伝送方式で送信することが可能である状態からＳＤＭＡ伝送方式で送信することが不可能である状態に遷移したと判定することを特徴とする請求項６に記載の無線通信装置。
【請求項８】
ＳＤＭＡ（Space Division Multiple Access）伝送方式による送信を許可する状態であることを示す第１無線信号を受信し、
前記第１無線信号を受けてキャリアセンスによりＳＤＭＡ伝送方式で送信することが可能である第１状態かＳＤＭＡ伝送方式で送信することが不可能である第２状態かを判定し、
前記第１状態がある第１期間継続しているかどうかを判定し、
前記第１状態が前記第１期間継続していると判定された場合には、ＳＤＭＡ伝送方式を使用して無線信号を送信し、
前記第１状態が前記第１期間継続していないと判定された場合には、キャリアセンスを開始してから前記第２状態であると判定されるまでの第２期間を前記第１期間から引いた第３期間を前記第１期間の代わりに設定し、
前記第３期間の設定後に前記第１無線信号を受信した場合に、前記第１状態が前記第３期間継続しているかどうかを判定することを特徴とする無線通信方法。
【請求項９】
ＳＤＭＡ（Space Division Multiple Access）伝送方式による送信を許可する状態であることを示す第１無線信号を受信し、
前記第１無線信号を受けてキャリアセンスにより任意の通信方式の無線信号がない第１状態かある通信方式の無線信号がある第２状態かを判定し、
前記第１状態がある第１期間継続しているかどうかを判定し、
前記第１状態が前記第１期間継続していると判定された場合には、ＳＤＭＡ伝送方式を使用して無線信号を送信し、
前記第１状態が前記第１期間継続していないと判定された場合には、キャリアセンスを開始してから前記第２状態であると判定されるまでの第２期間を前記第１期間から引いた第３期間を前記第１期間の代わりに設定し、
前記第３期間の設定後に前記第１無線信号を受信した場合に、前記第１状態が前記第３期間継続しているかどうかを判定することを特徴とする無線通信方法。
【請求項１０】
コンピュータを、
ＳＤＭＡ（Space Division Multiple Access）伝送方式による送信を許可する状態であることを示す第１無線信号を受信する受信手段と、
前記第１無線信号を受けてキャリアセンスによりＳＤＭＡ伝送方式で送信することが可能である第１状態かＳＤＭＡ伝送方式で送信することが不可能である第２状態かを判定する第１判定手段と、
前記第１状態がある第１期間継続しているかどうかを判定する第２判定手段と、
前記第１状態が前記第１期間継続していると判定された場合には、ＳＤＭＡ伝送方式を使用して無線信号を送信する第１送信手段と、
前記第２判定手段が前記第１状態が前記第１期間継続していないと判定した場合には、キャリアセンスを開始してから前記第２状態であると判定されるまでの第２期間を前記第１期間から引いた第３期間を前記第１期間の代わりに設定する第１設定手段として機能させるためのものであって、
前記第３期間の設定後に前記受信手段が前記第１無線信号を受信した場合に、前記第２判定手段は前記第１状態が前記第３期間継続しているかどうかを判定することを特徴とする無線通信プログラム。
【請求項１１】
コンピュータを、
ＳＤＭＡ（Space Division Multiple Access）伝送方式による送信を許可する状態であることを示す第１無線信号を受信する受信手段と、
前記第１無線信号を受けてキャリアセンスにより任意の通信方式の無線信号がない第１状態かある通信方式の無線信号がある第２状態かを判定する第１判定手段と、
前記第１状態がある第１期間継続しているかどうかを判定する第２判定手段と、
前記第１状態が前記第１期間継続していると判定された場合には、ＳＤＭＡ伝送方式を使用して無線信号を送信する第１送信手段と、
前記第２判定手段が前記第１状態が前記第１期間継続していないと判定した場合には、キャリアセンスを開始してから前記第２状態であると判定されるまでの第２期間を前記第１期間から引いた第３期間を前記第１期間の代わりに設定する第１設定手段として機能させるためのものであって、
前記第３期間の設定後に前記受信手段が前記第１無線信号を受信した場合に、前記第２判定手段は前記第１状態が前記第３期間継続しているかどうかを判定することを特徴とする無線通信プログラム。
【発明の詳細な説明】
【技術分野】
【０００１】
本発明は、無線通信装置、方法およびプログラムに関し、特に空間分割多元接続（Space Division Multiple Access；ＳＤＭＡ）方式を用いた無線通信装置に関するものである。
【背景技術】
【０００２】
複数の無線端末が無線基地局に対して同一周波数、同一時刻にデータを送信し、伝送効率をあげる多重化技術としてＳＤＭＡ（Space Division Multiple Access）が知られており、無線基地局が無線端末に対してＳＤＭＡの送信許可を与えるポーリングアルゴリズムの簡易な方法がある（例えば、特許文献１参照）。これは、無線端末が、報知されたポーリング信号受信に対して、確率的にアクセス権を獲得することにより、ＳＤＭＡによる同時アクセスを可能にするとともに、アクセス数を最大空間多重数内に抑える技術である。
【特許文献１】特許第３８２２５３０号公報
【発明の開示】
【発明が解決しようとする課題】
【０００３】
しかし、特許文献１に開示されている技術は、報知されたポーリング信号を受信する毎に常に等しい確率でアクセス権の獲得を図る方式であるため、一時的にアクセス権を獲得できない可能性がある。アクセス権を獲得する確率は、各端末がアクセスしようとする回数が増加すればするほど統計的に等しくなっていくが、短期的にはアクセス件を獲得する回数には差が生じてしまう可能性が高い。
【０００４】
本発明は、上記従来技術の問題点を解決するためになされたものであって、ＳＤＭＡを用いた無線通信システムにおいて、より公平な無線アクセスを実現することができる無線通信装置、方法およびプログラムを提供することを目的とする。
【課題を解決するための手段】
【０００５】
上述の課題を解決するため、本発明の無線通信装置は、ＳＤＭＡ（Space Division Multiple Access）伝送方式による送信を許可する状態であることを示す第１無線信号を受信する受信手段と、前記第１無線信号を受けてキャリアセンスによりＳＤＭＡ伝送方式で送信することが可能である第１状態かＳＤＭＡ伝送方式で送信することが不可能である第２状態かを判定する第１判定手段と、前記第１状態がある第１期間継続しているかどうかを判定する第２判定手段と、前記第１状態が前記第１期間継続していると判定された場合には、ＳＤＭＡ伝送方式を使用して無線信号を送信する第１送信手段と、前記第２判定手段が前記第１状態が前記第１期間継続していないと判定した場合には、キャリアセンスを開始してから前記第２状態であると判定されるまでの第２期間を前記第１期間から引いた第３期間を前記第１期間の代わりに設定する第１設定手段と、を具備し、前記第３期間の設定後に前記受信手段が前記第１無線信号を受信した場合に、前記第２判定手段は前記第１状態が前記第３期間継続しているかどうかを判定することを特徴とする。
【０００６】
本発明の無線通信装置は、ＳＤＭＡ伝送方式による送信を許可する状態であることを示す第１無線信号を受信する受信手段と、前記第１無線信号を受けてキャリアセンスにより任意の通信方式の無線信号がない第１状態かある通信方式の無線信号がある第２状態かを判定する第１判定手段と、前記第１状態がある第１期間継続しているかどうかを判定する第２判定手段と、前記第１状態が前記第１期間継続していると判定された場合には、ＳＤＭＡ伝送方式を使用して無線信号を送信する第１送信手段と、前記第２判定手段が前記第１状態が前記第１期間継続していないと判定した場合には、キャリアセンスを開始してから前記第２状態であると判定されるまでの第２期間を前記第１期間から引いた第３期間を前記第１期間の代わりに設定する第１設定手段と、を具備し、前記第３期間の設定後に前記受信手段が前記第１無線信号を受信した場合に、前記第２判定手段は前記第１状態が前記第３期間継続しているかどうかを判定することを特徴とする。
【０００７】
本発明の無線通信装置は、ＳＤＭＡ伝送方式による送信を許可する状態であることを示す第１無線信号を無線通信装置が受信した際に該無線通信装置のうちで送信要求のある無線通信装置の数を推定する推定手段と、前記第１無線信号を受信した無線通信装置がキャリアセンスする期間を計算する場合に該無線通信装置が生成する乱数であって乱数が大きいほど該期間も大きくなる乱数の上限値の逆数と、前記数との積が、ＳＤＭＡ伝送方式で定まっている最大空間多重数よりも閾値範囲内で小さくなるように該上限値を設定する設定手段と、前記上限値を含めて第１無線信号を同一ネットワーク内の無線通信装置に送信する送信手段と、を具備することを特徴とする。
【発明の効果】
【０００８】
本発明の無線通信装置、方法およびプログラムによれば、ＳＤＭＡを用いた無線通信システムにおいて、より公平な無線アクセスを実現することができる。
【発明を実施するための最良の形態】
【０００９】
以下、図面を参照しながら本発明の実施形態に係る無線通信装置、方法およびプログラムについて詳細に説明する。なお、以下の実施形態では、同一の番号を付した部分については同様の動作を行うものとして、重ねての説明を省略する。  
実施形態の無線基地局ＡＰ１と、実施形態の無線端末ＳＴＡ１〜ＳＴＡ５との位置関係について図１を参照して説明する。  
無線基地局ＡＰ１ １００と無線端末ＳＴＡ１ １０１〜ＳＴＡ５ １０５は、同一のネットワークに属する。無線端末ＳＴＡ１ １０１〜ＳＴＡ３ １０３は、ＳＤＭＡ伝送方式での伝送が可能な無線端末（ＳＤＭＡ対応の無線端末）であり、無線端末ＳＴＡ４ １０４〜ＳＴＡ５ １０５は、ＳＤＭＡ伝送方式での伝送が不可能な無線端末（ＳＤＭＡ非対応の無線端末）である。そのため、無線端末ＳＴＡ１ １０１〜ＳＴＡ３ １０３は、ＳＤＭＡ伝送方式での伝送が可能な場合はＳＤＭＡ伝送方式を用いた伝送を行い、ＳＤＭＡ伝送方式での伝送ができない場合は従来の非ＳＤＭＡ伝送方式に切り替えて伝送を行う。無線端末ＳＴＡ４ １０４〜ＳＴＡ５ １０５は、ＳＤＭＡ伝送方式で伝送ができないため、従来の非ＳＤＭＡ伝送方式のみでの伝送を行う。したがって、無線基地局ＡＰ１ １００がある一定期間の間をＳＤＭＡ伝送方式のみによる伝送を行う期間として設定した場合は、その間、無線端末ＳＴＡ４ １０４〜ＳＴＡ５ １０５は送信を行わない。
【００１０】
（第１の実施形態）  
本実施形態の無線通信装置について図２を参照して説明する。この無線通信装置は図１の無線端末ＳＴＡ１ １０１〜ＳＴＡ３ １０３に対応している。  
本実施形態の無線通信装置は、アンテナ２０１と、アンテナ部２０２と、受信部２０３と、キャリアセンス管理部２０４と、送信部２０５と、上位層処理部２０６とを含む。
【００１１】
アンテナ部２０２は、アンテナ２０１を介して無線信号を受け取る。アンテナ部２０２は、無線信号を受信する際または無線信号を送信する際にアンテナ指向性を制御するアンテナ制御を行ってもよい。受信部２０３は、無線チャネルのキャリアセンスと、受信された無線信号の受信処理を行う。キャリアセンス管理部２０４は、無線チャネルのキャリアセンスを行い、キャリアセンス観測結果から、ＳＤＭＡ伝送方式による伝送が可能であるか否かの判定、非ＳＤＭＡ伝送方式による伝送が可能であるか否かの判定、バックオフ数の管理などを行う。送信部２０５は、無線信号の送信処理を行う。上位層処理部２０６は、受信部２０３、送信部２０５と、自端末の上位層との送受信データの受け渡し等を行う。
【００１２】
＜第１例＞  
次に、本実施形態の無線基地局ＡＰ１ １００と無線端末ＳＴＡ１ １０１〜ＳＴＡ５ １０５との間の伝送の第１例について図３の伝送シーケンスを参照して説明する。  
無線基地局ＡＰ１ １００は、無線端末に対してＳＤＭＡ伝送方式による送信を許可する無線信号を送信する（ステップＳ３０１）。ここでは、この無線信号をポーリング信号と呼ぶ。ポーリング信号は、ＳＤＭＡ伝送方式による送信を許可する状態であることを示す。ポーリング信号は、宛先アドレス、ＳＤＭＡ伝送方式による送信を許可する期間を示す情報を含んでいる。このときポーリング信号の宛先アドレスは、ブロードキャストアドレス、マルチキャストアドレス、または、複数のユニキャストアドレスが設定されている。しかし例えば、無線基地局ＡＰ１ １００から送信されるポーリング信号の宛先がブロードキャストであると図１のネットワーク内の全ての無線端末に予め周知するように設定しておけば、この宛先アドレスは不要である。ＳＤＭＡ伝送方式による送信を許可する期間は、後述するバックオフ期間の最大値から設定される。例えば、バックオフ数として取り得る最大値が後述するＣＷである場合には、ＳＩＦＳ＋ＳｌｏｔＴｉｍｅ×ＣＷ、もしくは、それよりも少し大きめの値がＳＤＭＡ伝送方式による送信を許可する期間として設定される。
【００１３】
また、伝送するデータに様々なＱｏＳタイプがあり、その優先度に応じて、ＣＷが複数ある場合は、その最大値を考慮してＳＤＭＡ伝送方式による送信を許可する期間を設定してもよいし、ポーリング信号においてＳＤＭＡ伝送方式で伝送するフレームのＱｏＳタイプを指定する場合は、ポーリング信号毎にＳＤＭＡ伝送方式による送信を許可する期間が異なっていてもよい。例えば、ビーコン信号等で無線基地局ＡＰ１ １００が無線端末ＳＴＡ１ １０１〜ＳＴＡ３ １０３に音声伝送用（ＱｏＳ１）のＣＷ、データ伝送用（ＱｏＳ２）のＣＷの情報を予め知らせておき、無線基地局ＡＰ１ １００がポーリング信号にＱｏＳ１またはＱｏＳ２を指定する。無線端末ＳＴＡ１ １０１〜ＳＴＡ３ １０３は、このポーリング信号を受信してＱｏＳが指定されている場合には指定されたＱｏＳのデータを送信する準備をする。例えばＱｏＳ１が指定されていた場合には音声伝送用のＣＷを使用し音声通信を行う準備をする。この場合データ通信はできない。
【００１４】
無線端末ＳＴＡ１ １０１〜ＳＴＡ３ １０３は、無線基地局ＡＰ１ １００が送信したＳＤＭＡ伝送方式による送信を許可するポーリング信号を受信する（ステップＳ３０１）。無線端末ＳＴＡ４ １０４〜ＳＴＡ５ １０５もポーリング信号を受信し（ステップＳ３０１）、ポーリング信号に含まれるＳＤＭＡ伝送方式による送信を許可する期間だけ無線端末ＳＴＡ４ １０４〜ＳＴＡ５ １０５は伝送を停止する。
【００１５】
無線端末ＳＴＡ１ １０１〜ＳＴＡ３ １０３では、受信部２０３が、受信したポーリング信号の宛先アドレスチェックを行い、宛先アドレスが自局宛のユニキャストアドレスであったり、自局を含むマルチキャストアドレスであったり、ブロードキャストアドレスの場合に、自局が受信すべき信号であると判定して受信処理を継続する。ＳＤＭＡ伝送方式による送信を許可するポーリング信号の宛先アドレスがブロードキャストアドレスの場合、キャリアセンス管理部２０４が予め定めた所定期間のキャリアセンスを行う。キャリアセンスの期間としては、例えば、ＩＥＥＥ８０２．１１ｅ等で定められているように、予め定めたＳＩＦＳ期間と乱数で決定するバックオフ期間の和（ＡＩＦＳと呼ぶ）とする。バックオフ期間は、スロット長と呼ばれる固定時間（ＳｌｏｔＴｉｍｅ）に、乱数を振ることにより決定したバックオフ数（Ｎ）をかけた値（ＳｌｏｔＴｉｍｅ×Ｎ）である。乱数を振る際の最大値は、コンテンションウインドウサイズ（ＣＷ）と呼ぶことにする。このとき、Ｎは０以上ＣＷ以下の整数値をとることになる。ＣＷは無線基地局ＡＰ１ １００が決定する。
【００１６】
ここでＣＷについて説明する。ＣＷの値は、ＳＤＭＡ伝送方式で定まっている最大空間多重数（Ｔ）と、ポーリング信号を受信した際に送信要求のある無線端末数（ｎ）とに依存する。正確には、Ｔ≧ｎ／ＣＷを満たす。ＣＷは、ｎ／ＣＷの値がＴよりも少し低くなるように設定されていることが望ましい。無線基地局ＡＰ１ １００は例えばｎ／ＣＷがＴよりもある閾値範囲内で小さくなるように設定する。無線基地局ＡＰ１ １００は、ポーリング信号を受信した際に送信要求のある無線端末数（ｎ）が把握できるならば、この値からＴ≧ｎ／ＣＷを満たすようにＣＷを設定する。この場合、例えば各無線端末から送信要求がある場合にはその旨の情報を無線基地局ＡＰ１ １００へ送信する。また、無線基地局ＡＰ１ １００のネットワークに属する無線端末数（Ｎ）を把握して、近似的にｆ（Ｎ）＝ｎとなるような関数ｆを設定してＮによりｎを推定して、ＮとＴ≧ｆ（Ｎ）／ＣＷを満たすようにＣＷを設定してもよい。無線基地局ＡＰ１ １００のネットワークに属する無線端末数（Ｎ）は、例えば、同一ネットワークでそれまでに無線基地局と伝送していた無線端末の数とするか、ある期間内に伝送していた無線端末数とする。無線基地局ＡＰ１ １００は、一般に同一ネットワークに属する無線端末数が増加すればＣＷを増加させることで最大空間多重数に近い数の無線端末が空間多重により伝送することができ、伝送効率を上げることができる。
【００１７】
無線端末ＳＴＡ１ １０１〜ＳＴＡ３ １０３は、自無線端末からデータを送信したい旨の送信要求がある場合に、初めてＳＤＭＡ伝送方式による送信を許可するポーリング信号を受信した場合（ステップＳ３０１）には、無線端末ＳＴＡ１ １０１〜ＳＴＡ３ １０３のキャリアセンス管理部２０４が、ＣＷ内で乱数を振ることにより、バックオフ期間（ＳＩＦＳ＋ＳｌｏｔＴｉｍｅ×Ｎ）を求め、その期間、無線チャネルのキャリアセンスを行い、ＳＤＭＡ伝送方式を用いた伝送が可能であるかどうかを調べる（ステップＳ３０２）。調べ方の一例としては、キャリアセンス管理部２０４が、その間の受信電力を測定し測定した受信電力が閾値以下であればＳＤＭＡ伝送方式による送信が可能であると判定し、測定した受信電力が閾値を超えればＳＤＭＡ伝送方式による送信ができないと判定する。他の方法としては、キャリアセンス管理部２０４が、その時点での空間多重数をキャリアセンスによって計測し、計測した空間多重数が最大空間多重数未満であればＳＤＭＡ伝送方式による送信が可能であると判定し、最大空間多重数以上であればＳＤＭＡ伝送方式による送信ができないと判定する。ここで、空間多重数とはＳＤＭＡ伝送方式で同時に送信されている無線信号の数を示す。そして、キャリアセンス管理部２０４が、バックオフ期間中にＳＤＭＡ伝送方式による送信ができないことを検出した場合は、残りのバックオフ数を保持し記憶する。最大空間多重数は、ＳＤＭＡ伝送方式で決まっていて無線基地局ＡＰ１ １００が設定してポーリング信号またはビーコン信号によって無線端末ＳＴＡ１ １０１〜ＳＴＡ５ １０５へ伝達される。
【００１８】
図３に示す例では、無線端末ＳＴＡ１ １０１〜ＳＴＡ３ １０３が、最初に乱数を振って決定したバックオフ数がそれぞれ５、３、５であったとする。このとき、無線端末ＳＴＡ１ １０１とＳＴＡ３ １０３ではＳＩＦＳ＋ＳｌｏｔＴｉｍｅ×５がバックオフ期間になり、ＳＴＡ２ １０２ではＳＩＦＳ＋ＳｌｏｔＴｉｍｅ×３がバックオフ期間になる。したがって、この場合には、ＳＴＡ１ １０１とＳＴＡ３ １０３よりもＳＴＡ２ １０２の方のバックオフ期間が短いのでＳＴＡ２ １０２の方が早く送信できる可能性が高い。図３の例では、キャリアセンス管理部２０４のキャリアセンスの結果、ＳＴＡ１ １０１とＳＴＡ３ １０３では、ＳＩＦＳ＋ＳｌｏｔＴｉｍｅ×３の期間、ＳＤＭＡ伝送方式による送信が可能であると判定していたものの、その後、ＳＴＡ２ １０２の送信（ステップＳ３０３）によりＳＤＭＡ伝送方式による送信ができないことがわかり、ＳＴＡ１ １０１とＳＴＡ３ １０３はＳＤＭＡ伝送方式で送信せず５−３＝２を残りのバックオフ数として保持する。そしてＳＴＡ１ １０１とＳＴＡ３ １０３は、再度、受信部２０３がブロードキャストアドレスを宛先アドレスとしたＳＤＭＡ伝送方式による送信を許可するポーリング信号を受信した場合（ステップＳ３０４）は、再度、キャリアセンス管理部２０４が、乱数を振ることなく保持していたバックオフ数を使用して、ＳＩＦＳ＋ＳｌｏｔＴｉｍｅ×２をバックオフ期間としてキャリアセンスを行う（ステップＳ３０５）。
【００１９】
このようにバックオフ数を設定すれば、ＳＤＭＡ伝送方式送信許可を示す１回目のポーリング信号に対応して送信を行うことができなかった無線端末では、次回のＳＤＭＡ伝送方式送信許可を示すポーリング信号を受信した場合のバックオフ数が前回のバックオフ数よりも小さくなるので、ＳＤＭＡ伝送方式送信許可を示すポーリング信号を受信する回数が増えるほど送信するまでのキャリアセンス期間が少なくなり、ＳＤＭＡ伝送方式で送信をすることができる可能性が高くなっていく。換言すれば、ある無線端末がＳＤＭＡ伝送方式送信許可を示すポーリング信号を受信する回数が増えるほど、この無線端末は無線基地局との接続優先度が高くなっていく。図３の例の無線端末ＳＴＡ１ １０１とＳＴＡ３ １０３では、１回目のポーリング信号に対応するバックオフ数が５であり、２回目のポーリング信号に対応するバックオフ数が３になり、送信するまでのキャリアセンス期間が少なくなるので、１回目よりも２回目の方がＳＤＭＡ伝送方式で送信をすることができる可能性が高い。
【００２０】
無線端末ＳＴＡ１ １０１、ＳＴＡ３ １０３が、キャリアセンスの結果、他の無線端末がＳＤＭＡ伝送方式による送信信号を送信していない、かつ、空間多重数が最大空間多重数未満であると判定した場合にはＳＤＭＡ伝送方式によるデータを送信する（ステップＳ３０６）。
【００２１】
次に、無線端末ＳＴＡ１ １０１〜ＳＴＡ３ １０３におけるＳＤＭＡ伝送方式と非ＳＤＭＡ伝送方式の切替判定のアルゴリズムの一例について図６を参照して説明する。ステップＳ６１３辺りについては特に図４および図５を参照して説明する。  
ポーリング信号に記述されているＳＤＭＡ伝送方式の許可期間以外である場合（ステップＳ６０１）に、上位層処理部２０６が自無線端末からデータを送信したい旨の送信要求があるかどうかを判定する（ステップＳ６０２）。ステップＳ６０２で送信要求がないと判定した場合には受信部２０３が第１の無線信号（ポーリング信号）を受信したかどうかを判定する（ステップＳ６０３）。ステップＳ６０３でポーリング信号を受信していないと判定した場合にはステップＳ６０１に戻り、ＳＤＭＡ伝送方式が許可期間外であるとする。上位層処理部２０６は、ステップＳ６０３でポーリング信号を受信したと判定した場合にはＳＤＭＡ伝送方式が許可期間にあるとし（ステップＳ６０４）、送信要求があるかどうかを判定する（ステップＳ６０５）。
【００２２】
キャリアセンス管理部２０４は、ステップＳ６０５で送信要求があると判定された場合には第１方式（ＳＤＭＡ伝送方式）で送信するためのキャリアセンスする期間を決定する（ステップＳ６０６）。すなわち、無線端末は上述したようにバックオフ数（Ｎ）を決定する。受信部２０３は、ステップＳ６０６で決定されたキャリアセンス期間だけキャリアセンスを行う（ステップＳ６０７）。キャリアセンスによってキャリアセンス管理部２０４がＳＤＭＡ伝送方式で送信することが可能かどうかを判定する。ここでは、例えば、キャリアセンスによって、キャリアセンス管理部２０４は、空間多重数が最大空間多重数未満であり、かつ、他の無線端末からＳＤＭＡ伝送方式の送信信号がないかどうかを判定する（ステップＳ６０８）。この例の場合、キャリアセンス管理部２０４は、空間多重数が最大空間多重数未満であり、かつ、他の無線端末からＳＤＭＡ伝送方式の送信信号がない場合にＳＤＭＡ伝送方式で送信することが可能であると見なす。ステップＳ６０８で、空間多重数が最大空間多重数未満であり、かつ、他の無線端末からＳＤＭＡ伝送方式の送信信号がない、と判定された場合には、キャリアセンス管理部２０４がステップＳ６０６で決定されたキャリアセンス期間だけ経過したかどうかを判定する（ステップＳ６０９）。キャリアセンス期間だけまだ経過していないと判定された場合にはステップＳ６０７に戻りキャリアセンスを続ける。キャリアセンス期間だけ経過したと判定された場合には送信部２０５がＳＤＭＡ伝送方式でデータを送信し（ステップＳ６１０）、ステップＳ６０１に戻る。
【００２３】
ステップＳ６０８で、空間多重数が最大空間多重数以上である、または、他の無線端末からＳＤＭＡ伝送方式の送信信号があると判定された場合には、キャリアセンス管理部２０４が残り時間を算出（ステップＳ６１１）してこの残り時間に対応する数値を保持してステップＳ６０１に戻る。この残り時間は、設定されたキャリアセンス期間から実際にキャリアセンスした期間を引いた残り時間である。残り時間に対応する数値はバックオフ数である。
【００２４】
キャリアセンス管理部２０４は、ステップＳ６０５で送信要求がないと判定された場合にはキャリアセンスを行い（ステップＳ６１２）、他の無線端末が何らかの信号を送信しているかどうか、または、ＳＤＭＡ伝送方式による送信が許可された期間が経過したかどうかを判定する（ステップＳ６１３）。ステップＳ６１３で、他の無線端末が何の信号も送信していない、かつ、ＳＤＭＡ伝送方式による送信が許可された期間内であると判定された場合にはステップＳ６１２に戻り、他の無線端末が何らかの信号を送信している、または、ＳＤＭＡ伝送方式による送信が許可された期間が経過したと判定された場合にはステップＳ６０１に戻る。
【００２５】
ステップＳ６１３での一例について図４および図５を参照して説明する。ポーリング信号を受信した際に（ステップＳ６０３のＹＥＳ）、ＳＤＭＡ伝送方式を用いた送信要求がない（ステップＳ６０５のＮＯ）無線端末ＳＴＡ１は、ポーリング信号に対して他局（ＳＴＡ２）によるＳＤＭＡ伝送方式による送信が行われた後か（図４）、もしくは、ポーリング信号に対してＳＤＭＡ伝送方式による送信が行わないままにＳＤＭＡ伝送方式による送信を許可する期間以上経過した後は（図５）、ＳＤＭＡ伝送方式許可状態からＳＤＭＡ伝送方式非許可状態に遷移したと判定し（ステップＳ６０１）、次にＳＤＭＡ伝送方式による送信が許可される（ステップＳ６０４）までは、非ＳＤＭＡ伝送方式での送信を行う。このようにして、ＳＤＭＡ伝送方式期間と非ＳＤＭＡ伝送方式期間の切替を判定する。なお、図４のＳＤＭＡ伝送方式許可ｏｒ非許可の状態は、キャリアセンスの方法によって判定状態が異なる。前述の通り、受信電力のみで判定する場合は、ＳＴＡ２の送信によりＳＤＭＡ伝送方式非許可状態と判定することもあるし、空間多重数が最大空間多重数未満であればＳＤＭＡ伝送方式による送信を許容する判定方法であれば、ＳＤＭＡ伝送方式許可状態であると判定することもできる。
【００２６】
ステップＳ６０２で送信要求があると判定した場合には、キャリアセンス管理部２０４は、第２方式（非ＳＤＭＡ伝送方式）で送信するためのキャリアセンスする期間を決定する（ステップＳ６１５）。このキャリアセンス期間は、ステップＳ６０６でのキャリアセンス期間とは通常異なる。受信部２０３は、ステップＳ６１４で決定されたキャリアセンス期間だけキャリアセンスを行う（ステップＳ６１５）。キャリアセンスによって、キャリアセンス管理部２０４は、非ＳＤＭＡ伝送方式による送信が可能かどうかを判定する（ステップＳ６１６）。ステップＳ６１６で、非ＳＤＭＡ伝送方式による送信が可能であると判定された場合には、キャリアセンス管理部２０４がステップＳ６１４で決定されたキャリアセンス期間だけ経過したかどうかを判定する（ステップＳ６１７）。キャリアセンス期間だけまだ経過していないと判定された場合にはステップＳ６１５に戻りキャリアセンスを続ける。キャリアセンス期間だけ経過したと判定された場合には送信部２０５が非ＳＤＭＡ伝送方式でデータを送信し（ステップＳ６１８）、ステップＳ６０１に戻る。
【００２７】
ステップＳ６１６で非ＳＤＭＡ伝送方式による送信が可能でないと判定された場合には受信部２０３が第１の無線信号（ポーリング信号）を受信したかどうかを判定する（ステップＳ６１９）。ステップＳ６１９でポーリング信号を受信していないと判定した場合には、キャリアセンス管理部２０４が残り時間を算出（ステップＳ６２０）してこの残り時間を保持してステップＳ６１４に戻り、ステップＳ６１４ではこの残り時間をキャリアセンス期間に決定する。  
なお、このステップＳ６１４からステップＳ６２０は、一例に過ぎず他のアルゴリズムでも構わない。
【００２８】
また、上述の説明では、ポーリング信号の宛先アドレスがブロードキャスト宛であるとして説明をしたが、宛先アドレスが自局を含む、マルチキャストアドレスであったり、複数のユニキャストアドレスの場合でも同様に適用できる。複数のユニキャストアドレスの場合では、例えばまず無線端末ＳＴＡ１ １０１〜ＳＴＡ５ １０５宛にポーリング信号を送信し、次に無線端末ＳＴＡ６〜ＳＴＡ１０（図示せず）宛にポーリング信号を送信し、次に無線端末ＳＴＡ１１〜ＳＴＡ１５（図示せず）宛にポーリング信号を送信する。
【００２９】
ただし、本実施形態は、マルチキャストアドレスや、複数のユニキャストアドレスで指定される端末数が最大空間多重数より大きい場合に効果を発揮する。なぜなら、本実施形態は、マルチキャストアドレスや複数のユニキャストアドレスで指定される端末数が最大空間多重数よりも大きい場合に、空間多重する端末数を制御するためにバックオフ制御を行う技術であり、マルチキャストアドレスや複数のユニキャストアドレスで指定される端末数が最大空間多重数未満である場合は、バックオフによりアクセスする端末数を制限せずに、指定された全ての端末がアクセスする方が効率が良いからである。
【００３０】
＜第２例＞  
次に、本実施形態の無線基地局ＡＰ１ １００と無線端末ＳＴＡ１ １０１〜ＳＴＡ５ １０５との間の伝送の第２例について図７を参照して説明する。  
図３では、１回のポーリング信号（ステップＳ３０１、Ｓ３０４）に対して、１回のＳＤＭＡ伝送方式による送信（ステップＳ３０３、Ｓ３０６）の例を示したが、ここでは、１回のポーリング信号（ステップＳ３０１）に対して複数回のＳＤＭＡ伝送方式による送信（ステップＳ７０２、Ｓ７０４）の例を示す。第２例でも、ポーリング信号にＳＤＭＡ伝送方式許可期間に係わる情報が付加されており、この期間内で、キャリアセンス（ステップＳ７０１、Ｓ７０３）の結果、ＳＤＭＡ伝送方式による送信が可能であると判定した場合は、ＳＤＭＡ伝送方式によりフレームを送信する。例えば、ポーリング信号を受信した後にキャリアセンスを行う。このときのバックオフ数が６であったとし、ＳＩＦＳ＋ＳｌｏｔＴｉｍｅ×４の期間は、ＳＤＭＡ伝送方式による送信が可能であったが、その後、他局（ＳＴＡ２）の送信等のよりＳＤＭＡ伝送方式による送信ができないと判定した場合は、残りのバックオフ数２を保持しておく。そして、ポーリング信号に付加されたＳＤＭＡ伝送方式許可期間だけキャリアセンスを継続する。ＳＤＭＡ伝送方式許可期間が終了するまでに、他局の送信等が終了し、再度、ＳＤＭＡ伝送方式による送信が可能であると判定でき、かつ、ＳＩＦＳ＋ＳｌｏｔＴｉｍｅ×２（先ほどの残りのバックオフ数）の期間、ＳＤＭＡ伝送方式による送信が可能であった場合は、ＳＤＭＡ伝送方式によりフレームを送信する（ステップＳ７０４）。図３の第１例に比べると、より多重されやすくなり、ポーリング信号の送信に関するオーバーヘッドが削減されるため、スループット特性の改善が期待できる。なお、通常ＳＤＭＡ伝送方式許可期間は第１例よりも第２例での方が長くなる。
【００３１】
次に、第２例での無線端末ＳＴＡ１ １０１〜ＳＴＡ３ １０３におけるＳＤＭＡ伝送方式と非ＳＤＭＡ伝送方式の切替判定のアルゴリズムの一例について図８を参照して説明する。  
第２例での切替判定のアルゴリズムは、第１例でのものとほとんど同様である。異なる点は、第２例ではステップＳ６１０の後に空間多重許可状態であるかどうかを判定するステップがあることである。第２例では、ステップＳ６１０でキャリアセンス期間だけ経過したと判定された場合には送信部２０５がＳＤＭＡ伝送方式でデータを送信し、その後、キャリアセンス管理部２０４が、現在がＳＤＭＡ伝送方式許可期間内である空間多重許可状態であるかどうかを判定する（ステップＳ８０１）。空間多重許可状態であると判定された場合にはステップＳ６０４に戻り、空間多重許可状態でないと判定された場合にはステップＳ６０１に戻る。
【００３２】
次に、本実施形態の効果について図９を参照して説明する。  
図９に示すように複数の無線基地局ＡＰ１ １００、無線基地局ＡＰ２ ９００によりネットワークが構成され、無線端末ＳＴＡ１ １０１〜ＳＴＡ５ １０５はＡＰ１に所属し、無線端末ＳＴＡ６ ９０１〜ＳＴＡ７ ９０２はＡＰ２に所属し、ＳＴＡ１ １０１は、無線基地局ＡＰ１とＡＰ２の双方と伝送可能な位置に存在しているとする。また、ＡＰ１とＡＰ２は互いに伝送できない位置関係であるとする。ＡＰ１は、通常、ＡＰ２の伝送状況を知らずに無線端末にＳＤＭＡ伝送方式による送信を許可するポーリング信号を報知する。
【００３３】
従来の無線システムでは、ポーリング信号を受けた端末は、キャリアセンスをせずに送信する。本実施形態によれば、ポーリング信号を受けた無線端末はキャリアセンスを行った後に送信をしているため、隣接のネットワーク（ここではＡＰ２のネットワーク）に干渉を及ぼすことを防止することができる。また、ＩＥＥＥ８０２．１１のように仮想キャリアセンスの概念を導入し、ＡＰ２に所属する無線端末または無線基地局が送信した信号を受信して、所定の期間送信を抑制する仕組みが知られている。この仕組みと従来のポーリング方式を単純に併用した場合、従来のポーリング方式はユニキャスト送信であるため、ある特定の無線端末に送信許可を与える。この送信許可を与える無線端末が、仮想キャリアセンスで送信抑止状態であったのならば、ＡＰ１が空間多重伝送による許可を与えたとしても無線端末は送信することができないので、無駄になってしまう。
【００３４】
それに対して、本実施形態では、ポーリング信号をブロードキャストしているため、無線基地局ＡＰ１は、各無線端末の送信抑止状態を知る必要がない。つまり、ＳＤＭＡ伝送方式で伝送可能な全無線端末に送信許可が与えられるので、その中で、仮想キャリアセンスにより送信抑止されていない無線端末が無線基地局ＡＰ１にアクセスすることができるので、ポーリング信号が無駄になることはない。また、送信抑止されていない無線端末が全てアクセスすると空間分割多重数の最大値を超える可能性があるので、ここにバックオフの概念を導入することにより、無線端末の同時アクセス数を適切に制御することを可能にする。
【００３５】
さらに、本実施形態は、従来のバックオフのように送信要求をトリガーにバックオフ処理を行うのではなく、ポーリング信号の受信を契機にバックオフを行うことにより、バックオフ開始時刻を揃わせ、同時送信を行おうとする無線端末が増やし、空間分割多重伝送を可能にする。これにより、従来のバックオフのように、バックオフの開始時刻が各端末で全く異なることにより、バックオフ完了時間が一緒になり、同時送信が行われ、空間多重する可能性が非常に小さいという課題を解決できる。
【００３６】
以上説明したように、本実施形態では、ブロードキャストを宛先アドレスとしたＳＤＭＡ伝送方式を許可するポーリング信号を受信した無線端末が、バックオフをするための乱数を振ることにより、送信要求のある全ての無線端末が同時にアクセスし、空間分割できる多重数の最大値を超えてしまう可能性を下げた上で、適度な数の無線端末に同時アクセスすることを可能にすることができる。
【００３７】
また、乱数によって適度にバックオフさせているため、同時にアクセスする無線端末数を適度な数になるようにすることもできる。例えば、伝送要求がある無線端末数が少ない場合は、ＣＷを小さくことにより、バックオフ期間が同じとなる確率を増やし、伝送要求がある無線端末数が多い場合は、ＣＷを大きくすることにより、バックオフ期間が同じとなる確率を減らすことができる。ＣＷの値を頻繁に変更すると、その値が最適になるように制御することは複雑になっていくが、比較的長い周期で変更すれば、簡易な方法であるにも係わらず、伝送効率を向上させることができる。
【００３８】
（第２の実施形態）  
本実施形態の無線通信装置（無線端末ＳＴＡ１ １０１〜ＳＴＡ３ １０３）のＳＤＭＡ伝送方式と非ＳＤＭＡ伝送方式の切替判定のアルゴリズムの一例について図１０、図１１を参照して説明する。図１０および図１１は、第１の実施形態での第１例および第２例に対応する。なお、本実施形態の無線通信装置は、第１の実施形態の図２に示した装置と同様である。
【００３９】
第１の実施形態では、ＳＤＭＡ伝送方式を許可するポーリング信号を受信した後（ステップＳ６０３）、ＳＤＭＡ伝送方式での送信が可能であるかを判定するためのキャリアセンスを行い（ステップＳ６０７）、所定期間以上に伝送可能であると判定した場合に、ＳＤＭＡ伝送方式でフレームを送信する（ステップＳ６１０）。第２の実施形態では、ポーリング信号を受信してＳＤＭＡ伝送方式でフレームを送信する場合には、ＳＤＭＡ伝送方式で送信されたフレームを検出することをしないため、ＳＤＭＡ伝送方式用のキャリアセンスは行わず、乱数をふることにより決定したカウンターを用いて、所定の期間を計測し、所定の期間が経過したら、ＳＤＭＡ伝送方式でフレームを送信する（ステップＳ６１０）ことにする。ただし、所定の期間の間、任意の方式で伝送されたフレームが送信されているか否かのキャリアセンスのみを行う（ステップＳ１００１）。そして、所定期間を経過するまでに任意の方式で伝送されたフレームが送信されていることを検出した場合は、ＳＤＭＡ伝送方式許可状態からＳＤＭＡ伝送方式非許可状態に遷移したと判定する（ステップＳ６０１）。その他の第２の実施形態の無線通信装置は第１の実施形態の無線通信装置と同様である。
【００４０】
ＳＤＭＡ伝送方式では、空間分割できるような無線信号を用いて送信されているため、例えば、無線基地局がＳＤＭＡ伝送方式で送信されたフレームを受信している最中に、他の無線信号を受信したとしても、受信中のフレームを正しく受信できることがあるが、無線基地局が通常の非ＳＤＭＡ伝送方式で送信されたフレームを受信している最中に、他の無線信号を受信した場合は、受信中のフレームを正しく受信できないことがある。そのため無線端末は、前述した所定の期間は、任意の方式で送信されたフレームが送信されているか否かのキャリアセンスを行い（ステップＳ１００１）、ＳＤＭＡ伝送方式で送信されたフレームが送信されているか否かのキャリアセンスは行わない。ＳＤＭＡ伝送方式で送信されたフレームが送信しているか否かのキャリアセンスや、ＳＤＭＡ伝送方式での送信の多重数を観測するようなキャリアセンス（ステップＳ６０７）を行う場合には、通常の受信処理よりも計算量が多くなり、多くの電力を浪費してしまうため、本実施形態によれば、ＳＤＭＡ伝送方式で伝送されたフレームが送信しているか否かのキャリアセンスや、ＳＤＭＡ伝送方式での送信の多重数を観測するようなキャリアセンスを止めて、キャリアセンス時の低消費電力化をすることができる。 
特に、本実施形態の手法は、ポーリング信号を受信後のＳＤＭＡ伝送方式を許可する期間よりも、ＣＷを大きく設定した場合に効果的である。例えば、ポーリング信号受信後に許可されたＳＤＭＡ伝送方式許可期間がＳＩＦＳ＋ＳｌｏｔＴｉｍｅ×１０に相当する期間とし、ＣＷを５とする。この場合は、ポーリング信号を受信した無線端末は乱数を振ってバックオフ数を決定するが、バックオフ数が５より大きければ、そのポーリング信号に対したＳＤＭＡ伝送方式による送信ができないことになる。一方で、バックオフ数が５以下の無線端末は全てこのポーリング期間中にアクセスすることができる。したがって、バックオフ数がＣＷ以下になる端末数が、最大空間多重数未満となるようにＣＷとＳＤＭＡ伝送方式による送信を許可する期間を設計した場合に効果的となる。
【００４１】
以上に示した実施形態によれば、ＳＤＭＡ伝送方式を用いた無線通信システムにおいて、ブロードキャストを宛先アドレスとしたＳＤＭＡ伝送方式による送信を許可するポーリング信号を受信した無線端末が、それぞれバックオフ数を乱数により設定することにより、無線基地局のスケジューリングのための計算量を軽減し、伝送効率の低下を招くことなく、より公平な無線アクセスを実現することができる。また、最大遅延時間を小さくすることができる。
【００４２】
また、上述の実施形態の中で示した処理手順に示された指示は、ソフトウェアであるプログラムに基づいて実行されることが可能である。汎用の計算機システムが、このプログラムを予め記憶しておき、このプログラムを読み込むことにより、上述した実施形態の無線通信装置による効果と同様な効果を得ることも可能である。上述の実施形態で記述された指示は、コンピュータに実行させることのできるプログラムとして、磁気ディスク（フレキシブルディスク、ハードディスクなど）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷなど）、半導体メモリ、又はこれに類する記録媒体に記録される。コンピュータまたは組み込みシステムが読み取り可能な記録媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態の無線通信装置と同様な動作を実現することができる。もちろん、コンピュータがプログラムを取得する場合又は読み込む場合はネットワークを通じて取得又は読み込んでもよい。  
また、記録媒体からコンピュータや組み込みシステムにインストールされたプログラムの指示に基づきコンピュータ上で稼働しているＯＳ（オペレーティングシステム）や、データベース管理ソフト、ネットワーク等のＭＷ（ミドルウェア）等が本実施形態を実現するための各処理の一部を実行してもよい。  
さらに、本願発明における記録媒体は、コンピュータあるいは組み込みシステムと独立した媒体に限らず、ＬＡＮやインターネット等により伝達されたプログラムをダウンロードして記憶または一時記憶した記録媒体も含まれる。  
また、記録媒体は１つに限られず、複数の媒体から本実施形態における処理が実行される場合も、本発明における記録媒体に含まれ、媒体の構成は何れの構成であってもよい。
【００４３】
なお、本願発明におけるコンピュータまたは組み込みシステムは、記録媒体に記憶されたプログラムに基づき、本実施形態における各処理を実行するためのものであって、パソコン、マイコン等の１つからなる装置、複数の装置がネットワーク接続されたシステム等の何れの構成であってもよい。  
また、本願発明の実施形態におけるコンピュータとは、パソコンに限らず、情報処理機器に含まれる演算処理装置、マイコン等も含み、プログラムによって本発明の実施形態における機能を実現することが可能な機器、装置を総称している。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】第１および第２の実施形態での１つの無線基地局と複数の無線端末との位置関係を示す図。
【図２】第１および第２の実施形態の無線通信装置（無線端末）のブロック図。
【図３】第１の実施形態の無線基地局と複数の無線端末との間の伝送の第１例を示す伝送シーケンス。
【図４】ＳＤＭＡ伝送方式許可状態からＳＤＭＡ伝送方式非許可状態に遷移したと判定する第１の場合を示す図。
【図５】ＳＤＭＡ伝送方式許可状態からＳＤＭＡ伝送方式非許可状態に遷移したと判定する第２の場合を示す図。
【図６】第１の実施形態の無線端末の第１例の動作の一例を示すフローチャート。
【図７】第１の実施形態の無線基地局と複数の無線端末との間の伝送の第２例を示す伝送シーケンス。
【図８】第１の実施形態の無線端末の第２例の動作の一例を示すフローチャート。
【図９】第１の実施形態の効果を説明するための図。
【図１０】第２の実施形態の無線端末の第１例の動作の一例を示すフローチャート。
【図１１】第２の実施形態の無線端末の第２例の動作の一例を示すフローチャート。
【符号の説明】
【００４６】
１００，９００・・・無線基地局ＡＰ、１０１，１０２，１０３，１０４，１０５，９０１，９０２・・・無線端末ＳＴＡ、２０１・・・アンテナ、２０２・・・アンテナ部、２０３・・・受信部、２０４・・・キャリアセンス管理部、２０５・・・送信部、２０６・・・上位層処理部。
【図１】
0005166125.tif 000002
【図２】
0005166125.tif 000003
【図３】
0005166125.tif 000004
【図４】
0005166125.tif 000005
【図５】
0005166125.tif 000006
【図６】
0005166125.tif 000007
【図７】
0005166125.tif 000008
【図８】
0005166125.tif 000009
【図９】
0005166125.tif 000010
【図１０】
0005166125.tif 000011
【図１１】
0005166125.tif 000012